(57)【要約】【課題】髭の導入範囲が広い上に切れ味も良好である。【解決手段】電磁石で構成された固定子２と、永久磁石を備えて上記固定子の励磁で固定子に対して往復駆動される可動子３とからなるリニアアクチュエータ１を備える。外刃６と上記リニアアクチュエータによる駆動で外刃内面に摺接する内刃５とを備えて、リニアアクチュエータは外刃と内刃の双方を逆位相で往復駆動するものである。内刃と逆位相で外刃を往復駆動することから、外刃の移動によって髭の導入範囲が広くなり、外刃を直接駆動しているために肌に外刃を押し当てた時にも外刃の往復動が止まることがなくて切れ味が落ちることがない。【選択図】図１
2006042895.tif 000002
【特許請求の範囲】
【請求項１】
電磁石で構成された固定子と、永久磁石を備えて上記固定子の励磁で固定子に対して往復駆動される可動子とからなるリニアアクチュエータを備えるとともに、外刃と上記リニアアクチュエータによる駆動で外刃内面に摺接する内刃とを備えた電気かみそりであって、上記リニアアクチュエータは外刃と内刃の双方を逆位相で往復駆動するものであることを特徴とする電気かみそり。
【請求項２】
リニアアクチュエータは複数の可動子を備え、内刃が取り付けられた可動子と逆位相で往復駆動される他の可動子に上記内刃が内面に摺接する外刃が取り付けられていることを特徴とする請求項１記載の電気かみそり。
【請求項３】
リニアアクチュエータは複数の可動子を備え、互いに逆位相で往復駆動される複数の可動子に夫々内刃が取り付けられているとともに、これら複数の可動子に逆位相で往復駆動される可動子に取り付けられた内刃が内面に摺接する外刃も取り付けられていることを特徴とする請求項２記載の電気かみそり。
【請求項４】
リニアアクチュエータは固定子が可動子と相反する方向に可動とされて可動子と逆位相で往復駆動されるものであり、固定子と可動子のうちの一方に外刃が取り付けられ、他方に内刃が取り付けられていることを特徴とする請求項１記載の電気かみそり。
【請求項５】
同位相で駆動される複数の可動子を備えて、これら可動子に夫々内刃が取り付けられ、これら可動子と逆位相で動く固定子に外刃が取り付けられていることを特徴とする請求項４記載の電気かみそり。
【請求項６】
リニアアクチュエータは複数の可動子を備えるとともに、そのうちの少なくとも一つの可動子が外刃と内刃の往復駆動に伴って発生する振動を吸収する位相で駆動される振動吸収専用のものであることを特徴とする請求項１〜５のいずれか１項に記載の電気かみそり。
【請求項７】
リニアアクチュエータ全体が外刃に対する内刃の往復駆動方向に振動可能に支持されていることを特徴とする請求項１〜５のいずれか１項に記載の電気かみそり。
【請求項８】
電磁石で構成された固定子と、永久磁石を備えて上記固定子の励磁で固定子に対して往復駆動される可動子とからなるリニアアクチュエータを備えるとともに、外刃と上記リニアアクチュエータによる駆動で外刃内面に摺接する内刃とを備えた電気かみそりであって、リニアアクチュエータにおける可動子に内刃が取り付けられ、リニアアクチュエータのステータ及び外刃を保持している保持体が内刃の往復駆動方向に振動可能に支持されて可動子及び内刃の駆動反力で振動するものであることを特徴とする電気かみそり。
【発明の詳細な説明】
【技術分野】
【０００１】
本発明は、電気かみそり、殊に往復駆動される内刃が外刃の内面に摺接する往復式の電気かみそりに関するものである。
【背景技術】
【０００２】
往復式電気かみそりは、内刃のみを往復駆動し、この内刃が内面に摺接する外刃は内刃の往復動方向において固定とされているのが通常であるが、この場合、外刃が肌に対して動くことはなく、髭を剃る範囲は使用者によるところの外刃を動かす範囲に限られる。
【０００３】
ここにおいて、特表２００１−５１３４１５号公報には、回転するモータの出力を運動変換機構で往復動に変換して内刃を往復駆動する時、そのときのモータへの反力を利用してモータと連結した外刃を内刃と逆位相で駆動するものが示されている。このように外刃を動かす時、髭を剃る範囲が広がることになるが、上記公報に示されたものは、外刃を直接駆動するのでなく、反力で動かしているために、外刃を掴んだり肌に押し付けたりすれば、外刃の振動はすぐに止まってしまう上に、この時の外刃と内刃の相対振幅が小さくなるために、切れ味が落ちてしまう。
【特許文献１】特表２００１−５１３４１５号公報
【発明の開示】
【発明が解決しようとする課題】
【０００４】
本発明は上記の従来の問題点に鑑みて発明したものであって、髭の導入範囲が広い上に切れ味も良好である電気かみそりを提供することを課題とするものである。
【課題を解決するための手段】
【０００５】
上記課題を解決するために本発明に係る電気かみそりは、電磁石で構成された固定子と、永久磁石を備えて上記固定子の励磁で固定子に対して往復駆動される可動子とからなるリニアアクチュエータを備えるとともに、外刃と上記リニアアクチュエータによる駆動で外刃内面に摺接する内刃とを備えた電気かみそりであって、上記リニアアクチュエータは外刃と内刃の双方を逆位相で往復駆動するものであることに特徴を有している。内刃を往復駆動すると同時に外刃を逆位相で往復駆動することから、外刃の移動によって髭の導入範囲が広くなるものであり、しかもリニアアクチュエータにより外刃を直接駆動しているために、肌に外刃を押し当てた時にも外刃の往復動が止まることはなく、切れ味が落ちることがないものであり、しかも外刃に対する内刃のストロークを所定量確保しつつ、内刃あるいは外刃のストロークは半分とすることができるために、より高速な駆動を行うことができて、この点でも切れ味の良いものを得ることができ、更には逆位相で動くものが存在するために振動も小さくなるものである。
【０００６】
この時、リニアアクチュエータは複数の可動子を備えるとともに、内刃が取り付けられた可動子と逆位相で往復駆動される他の可動子に上記内刃が内面に摺接する外刃を取り付けると、内刃と外刃の逆位相駆動を簡便に行うことができる。
【０００７】
また、リニアアクチュエータが複数の可動子を備え、互いに逆位相で往復駆動される複数の可動子に夫々内刃が取り付けられているとともに、これら複数の可動子に逆位相で往復駆動される可動子に取り付けられた内刃が内面に摺接する外刃も取り付けられていると、複数の内刃と複数の外刃とを有するものを可動子の数が少なくても実現することができる。
【０００８】
また、リニアアクチュエータは固定子が可動子と相反する方向に可動とされて可動子と逆位相で往復駆動されるものであり、固定子と可動子のうちの一方に外刃が取り付けられ、他方に内刃が取り付けられているものであってもよく、この場合、同位相で駆動される複数の可動子を備えて、これら可動子に夫々内刃が取り付けられ、これら可動子と逆位相で動く固定子に外刃が取り付けられていると、外刃と内刃との配置及び駆動が容易となる。
【０００９】
そして、リニアアクチュエータは複数の可動子を備えるとともに、そのうちの少なくとも一つの可動子が外刃と内刃の往復駆動に伴って発生する振動を吸収する位相で駆動される振動吸収専用のものであると、振動がより少ないものを簡便に得ることができる。
【００１０】
また、リニアアクチュエータ全体が外刃に対する内刃の往復駆動方向に振動可能に支持されていてもよく、この場合も振動が少なくなるほか、リニアアクチュエータ全体の振動も髭の導入範囲を広げることになる。
【００１１】
また本発明は、電磁石で構成された固定子と、永久磁石を備えて上記固定子の励磁で固定子に対して往復駆動される可動子とからなるリニアアクチュエータを備えるとともに、外刃と上記リニアアクチュエータによる駆動で外刃内面に摺接する内刃とを備えた電気かみそりであって、リニアアクチュエータにおける可動子に内刃が取り付けられ、リニアアクチュエータのステータ及び外刃を保持している保持体が内刃の往復駆動方向に振動可能に支持されて可動子及び内刃の駆動反力で振動するものであることに他の特徴を有している。駆動反力で外刃が振動することになるために、髭の導入面積が広がるものであり、また、この場合の外刃の振動は、肌に強く押し当てたならば止まってしまうものであるが、外刃と内刃の相対振幅は外刃の振動の如何にかかわらず当所の値が確保されているたえめに、切れ味が悪くなってしまうことがないものである。
【発明の効果】
【００１２】
本発明は、リニアアクチュエータによって外刃を内刃と逆位相で往復駆動するために、髭の導入範囲が広くなる上に、切れ味が低下してしまうようなことを招くこともなく、良好な切れ味を維持することができるものであり、また振動も低減させることができる。
【発明を実施するための最良の形態】
【００１３】
以下、本発明を添付図面に示す実施形態に基いて説明すると、図中の１は固定子２と可動子３とからなるリニアアクチュエータであって、固定子２は磁性材料の焼結体や磁性材料の鉄板を積層したステータにボビンを介してコイルを巻回した電磁石として形成されており、可動子３は上記固定子２の磁極面と対向する下面に永久磁石３０が配されるとともに内部に磁性材料からなるバックヨークを備えたもので、固定子２の両端部から夫々上方に延びる弾性脚４，４によって支持されており、固定子２におけるコイルに交番電流を流せば、可動子３は弾性脚４，４を撓ませつつ往復運動を行う。なお、弾性脚４，４は可動子３を往復動自在に支持する部材としての機能だけでなく、システムの共振周波数を設定するばねとしての機能も有している。図中７は外刃６の周囲を囲んでいるカバーである。
【００１４】
そして、上記可動子３には内刃連結部３１が設けられて、外刃６の内面に摺接する内刃５が内刃連結部３１に連結されるのであるが、図１に示すリニアアクチュエータ１は、１つの固定子２に対して２つの可動子３，３が平行並列に設けられているとともに、両可動子３，３はその永久磁石３０の極性が逆とされており、このために両可動子３，３は往復駆動される時に互いに逆位相で動く。
【００１５】
ここで、図１に示したものにおいては、逆位相で動く２つの可動子３，３のうちの一方に内刃連結部３１を設けて内刃５を連結し、他方の可動子３にはその両端から延出したアーム３３，３３によって上記内刃５が内面を摺接する外刃６を連結している。つまり、電気かみそりの本体に固定された固定子３を有する該リニアアクチュエータ１を作動させたならば、内刃５が往復駆動されるだけでなく、内刃５が内面を摺接する外刃６が内刃５と逆位相で往復駆動される。
【００１６】
図２に他例を示す。これは逆位相で動く２つの可動子３，３の夫々に内刃連結部３１と外刃６の取り付けのためのアーム３３とを設けるとともに、一方の可動子３に設けたアーム３３と他方の可動子３に設けたアーム３３とを交叉させることで、一方の可動子３の内刃連結部３１に取り付けた内刃５が、他方の可動子３のアーム３３に取り付けた外刃６の内面に摺接するようにしたものである。このために、２つの外刃６と２つの内刃５のいずれもが往復駆動されると同時に、互いに摺接する外刃６と内刃５とは逆位相で往復動を行う。
【００１７】
図３は他の実施形態の一例を示しており、ここでは固定子２を電気かみそりの本体に固定するのではなく、固定子２と可動子３とを連結している弾性脚４，４の中程を支持アーム８，８を介して電気かみそりの本体に固定している。そして可動子３に設けた内刃連結部３１に内刃５を連結するとともに、固定子２に設けた外刃支持アーム２０に上記内刃５が内面を摺接する外刃６を取り付けている。このものにおいては、リニアアクチュエータ１を作動させたならば、可動子３が往復駆動されると同時に固定子２が逆位相で往復駆動されるものであり、このために可動子３に連結した内刃５と固定子２に連結した外刃６とは逆位相の状態で共に往復駆動される。
【００１８】
この時、図４に示すように、可動子３を平行並列に複数設けてもよいが、これら可動子３は同位相で往復駆動されるものとし、固定子２にはこれら可動子３，３に夫々取り付けられる内刃５に夫々対応する複数の外刃６を取り付ける。
【００１９】
図５に示すように、複数の可動子３，３のうち、少なくとも一つは内刃５も外刃６も取り付けられないものとするとともに、その往復駆動される時の位相は、外刃６及び固定子２と、内刃５及び可動子３の逆移動往復駆動に際しての振動方向の慣性力の差などから生じる振動を打ち消すことになるようにしておくのも好ましい。なお、この振動吸収専用の可動子３を設けることは、図１〜図３に示したものにおいても適用することができる。また、図４及び図５に示す固定子２を可動子３と逆位相で動かすものにおいては、固定子２側に内刃５を、可動子３側に外刃６を連結してもよいのは明らかである。
【００２０】
図６及び図７に示すものは、逆位相で駆動される内刃５及び外刃６が共に可動子３，３に取り付けられている図１及び図２に示した例における固定子２を、電気かみそりの本体（ここでいう本体は、電気かみそりの使用時に手で把持される部分に限るものではなく、この把持部分に対して外刃の向きを変化させることができるように支持された部分を含む）に直接固定するのではなく、ばね支持部材９を介して取り付けたものを示している。このものでは、内刃５を取り付けた可動子３と、外刃６を取り付けた可動子３との振動方向の慣性力の差によって、リニアアクチュエータ１と内刃５及び外刃６からなる刃ブロック全体がばね支持部材９を撓ませて上記振動方向に振動して、電気かみそりの本体側に伝わる振動を吸収してしまうものであり、また、刃ブロック全体の振動が外刃６と肌との接触面積を広くすることになる。
【００２１】
図８に別の実施の形態の一例を示す。ここでは電気かみそりの本体にばね支持部材９を介して連結されている固定子２から延出した外刃支持アーム２０，２０に外刃６を取り付けるとともに、可動子３に内刃５を取り付けている（図示例では２つの逆位相で駆動される可動子３，３に夫々内刃５，５を取り付けている）。可動子３及び内刃５を往復駆動する時、振動方向における慣性力の差で振動方向のどちらかに固定子２及び外刃６がばね部材９を撓ませつつ慣性移動する。つまり外刃６が移動するものであり、このために肌の剃り面積が広がるものであり、また、慣性移動であることから、肌に外刃を強く押し当てた時、外刃６は移動しなくなってしまうものの、外刃６に対する内刃５のストロークは確保されているために、切れ味が落ちてしまうことはない。
【図面の簡単な説明】
【００２２】
【図１】本発明の実施の形態の一例を示すもので、(a)は概略断面図、(b)は概略斜視図である。
【図２】同上の他例の概略斜視図である。
【図３】他の実施の形態の一例の概略断面図である。
【図４】同上の可動子が複数である場合の概略斜視図である。
【図５】別の例の概略斜視図である。
【図６】更に他の例の概略断面図である。
【図７】他例の概略斜視図である。
【図８】別の実施の形態の一例を示すもので、(a)は概略断面図、(b)は概略斜視図である。
【符号の説明】
【００２３】
１  リニアアクチュエータ
２  固定子
３  可動子
４  弾性脚
５  内刃
６  外刃
【図１】
2006042895.tif 000003
【図２】
2006042895.tif 000004
【図３】
2006042895.tif 000005
【図４】
2006042895.tif 000006
【図５】
2006042895.tif 000007
【図６】
2006042895.tif 000008
【図７】
2006042895.tif 000009
【図８】
2006042895.tif 000010